(57)【特許請求の範囲】
【請求項１】
軸線が鉛直に対して傾斜した状態の斜め柱を天端面が水平面に対して傾斜した基礎上に設置する方法であり、
前記基礎の構築位置の付近において前記斜め柱を保持しながら組み立てる工程と、
この斜め柱の組み立て工程と並行し、前記基礎の構築位置と同一水準の上面上に、この上面から前記斜め柱が前記基礎上に設置されたときの、前記斜め柱の軸方向の中間部が接触し得る高さを有し、前記斜め柱を支持する支持部材を設置する工程と、
完成した前記斜め柱を吊り上げて前記斜め柱の下端を前記基礎の天端上に移動させ、この天端に、前記斜め柱の傾斜方向に回転自在に連結する工程と、
前記斜め柱を吊り支持したまま、前記斜め柱を前記支持部材側へ傾斜させ、前記支持部材に支持させる工程と、
前記斜め柱の下端部を前記基礎に接合する工程を含むことを特徴とする斜め柱の設置方法。
【請求項２】
前記斜め柱を組み立てる工程において、予め製作され、鉛直に保持された下柱上に予め製作された上柱を載置し、前記下柱に軸方向に接合して斜め柱を一本化させ、この一本化した斜め柱を鉛直に支持したまま、前記基礎の天端上に吊り込むことを特徴とする請求項１に記載の斜め柱の設置方法。
【請求項３】
前記支持部材を設置する工程において、前記支持部材の軸線が前記斜め柱の傾斜方向と反対側に傾斜した状態で、前記支持部材を前記上面上に設置することを特徴とする請求項１、もしくは請求項２に記載の斜め柱の設置方法。
【請求項４】
前記斜め柱の下端を前記基礎の天端に連結する工程において、前記斜め柱の下端の、前記支持部材から遠い側の端部を前記基礎の天端に水平軸回りに回転自在に連結することを特徴とする請求項１乃至請求項３のいずれかに記載の斜め柱の設置方法。
【発明の詳細な説明】
【技術分野】
【０００１】
本発明は最終的に軸線が鉛直に対して傾斜した状態で基礎上に立設される斜め柱を設置位置付近で組み立てて基礎上に設置し、傾斜した状態で基礎に接合する斜め柱の設置方法に関するものである。
【背景技術】
【０００２】
例えば屋根架構付き構造物を構築すべき敷地内の地盤の条件と、屋根架構の支持位置等の条件により屋根架構を支持する柱を鉛直に向けて設置することができないような場合、柱は軸線を鉛直に対して傾斜させた状態で設置せざるを得ないことがある（特許文献１参照）。地盤の条件は下部構造の内の底面部上に柱脚部を設置することができないようなことであり、屋根架構の支持位置の条件は屋根架構を直接、受け、柱頭が接合される一定の幅の梁を直線状に配列せざるを得ないようなことを言う（特許文献１）。
【０００３】
一方、地盤上に寝た状態にある柱を起立させる方法には主に、柱脚部を基礎等に回転自在に支持させながら、柱頭部に接続したワイヤ等の引張材を柱脚部側へ引き寄せることにより（特許文献２参照）、または柱脚部の下端にローラ付きの支持材を接続し、柱脚部を地盤上を直線運動可能にした状態で、地上に寝かせた柱の柱頭部に接続したワイヤを吊り上げる等（特許文献３参照）、柱頭部に接続されるワイヤと柱脚部に接続される補助材を併用する方法がある。
【先行技術文献】
【特許文献】
【０００４】
【特許文献１】特開２０１４−６９１２１号公報（請求項１、段落０００２〜００１０、００５８〜００７０、図１、図２）
【特許文献２】特開２００２−１５５６２９号公報（段落０００７、００１２、図６）
【特許文献３】特開２００５−１３９７０２号公報（段落００２０〜００２６、図１、図５、図６）
【発明の概要】
【発明が解決しようとする課題】
【０００５】
しかしながら、特許文献２、３は最終的に柱の軸線が鉛直になるまで寝ている柱を起立させる方法であり（特許文献２の段落０００７、特許文献３の段落０００２）、最終的に軸線が鉛直に対して傾斜した状態で柱を設置することに適した方法を示していない。
【０００６】
特許文献１は柱が脚部から頭部へかけて傾斜した状態で立設されることの結果を述べ、傾斜した柱の立設方法を問わないことを説明するに留まり（段落００２４〜００３６、００５８、００６６〜００７３）、傾斜した柱の具体的な立設方法を開示していない。
【０００７】
特に最終的に軸線が鉛直に対して傾斜した状態で柱を基礎上に立設する場合、柱には常に自重による転倒しようとするモーメントが作用し、柱を基礎上に立設した後にも作用し続けるため、この転倒しようとするモーメントの処理が課題になる。
【０００８】
本発明は上記背景より、最終的に軸線が鉛直に対して傾斜した状態で基礎上に立設される斜め柱を、最終的な傾斜状態で基礎上に設置することに適した具体的な立設方法を提案するものである。
【課題を解決するための手段】
【０００９】
請求項１に記載の発明の斜め柱の設置方法は、軸線が鉛直に対して傾斜した状態の斜め柱を天端面が水平面に対して傾斜した基礎上に設置する方法であり、
前記基礎の構築位置の付近において前記斜め柱を保持しながら組み立てる工程と、
この斜め柱の組み立て工程と並行し、前記基礎の構築位置と同一水準の上面上に、この上面から前記斜め柱が前記基礎上に設置されたときの、前記斜め柱の軸方向の中間部が接触し得る高さを有し、前記斜め柱を支持する支持部材を設置する工程と、
完成した前記斜め柱を吊り上げて前記斜め柱の下端を前記基礎の天端上に移動させ、この天端に、前記斜め柱の傾斜方向に回転自在に連結する工程と、
前記斜め柱を吊り支持したまま、前記斜め柱を前記支持部材側へ傾斜させ、前記支持部材に支持させる工程と、
前記斜め柱の下端部を前記基礎に接合する工程を含むことを構成要件とする。
【００１０】
斜め柱が組み立てられる「基礎の構築位置の付近」とは、図１−（ａ）、（ｂ）に示すように斜め柱１の組み立てが完了した後、例えば斜め柱１の全体を吊り上げたまま、斜め柱１の脚部が基礎２の天端面上に移行するまでの移動を同一の揚重機が行える範囲内の場所を言う。図１−（ａ）、（ｂ）では完成直後の斜め柱１と傾斜状態の斜め柱１を二点鎖線で示している。請求項１における「斜め柱を組み立てる」とは、「斜め柱を完成させる」の意味であり、斜め柱１の構成材がない状態から斜め柱１を組み立てる、あるいは製作することと、基礎２の構築位置付近、または工場において予め、後述の下柱１Ａと上柱１Ｂを含む斜め柱構成材を製作し、基礎２の構築位置付近において斜め柱構成材を組み合わせ、斜め柱１を完成させることを含む。
【００１１】
斜め柱１が鉛直に対し、傾斜して基礎２上に設置されることは、特許文献１のように例えば架構のスパン方向、もしくは桁行方向に配列する斜め柱１の頂部を同一直線上に配列させながらも、脚部を地盤面、または地盤面を含む下部構造の条件から平面上、頂部と同一位置に配置できないような場合に生じる。
【００１２】
斜め柱１は基礎２の構築位置の付近において組み立てられ、全長分が完成させられた後、吊り支持され、基礎２の天端上に移動させられる。斜め柱１は組み立て中と完成後の基礎２上への移動のための吊り上げまで常に、図１−（ａ）、（ｂ）に示すように斜め柱１の周囲に仮設で構築される支保工４に転倒等に対して安定的に保持される。支保工４は予め完成する斜め柱１の全長分の高さを有する場合と、斜め柱１の組み立てに伴い、上方へ積み上げられる場合がある。
【００１３】
斜め柱１の組み立て作業と並行し、基礎２上に載置された後に傾斜させられた、完成後の斜め柱１を傾斜状態に保持する支持部材３の設置、もしくは構築作業が行われる。「並行して」とは、支持部材３の設置作業が斜め柱１の組み立て作業と同時に行われる場合と、斜め柱１の組み立て作業と前後して行われる場合があることを言う。請求項１における「工程を含む」とは、各工程が請求項１に記載の上位の工程から順次、下位の工程へ向けて独立して遂行される場合と、複数の工程が並行し、相前後して進行する場合があることを意味する。
【００１４】
支持部材３が設置される面である「基礎２の構築位置と同一水準」とは、斜め柱１を基礎２に接合するまで、あるいは斜め柱１の頂部に屋根架構７が接合されるまでの間、斜め柱１を支持する支持部材３の設置場所が斜め柱１の脚部が接合される基礎２の構築位置と同等のレベルに位置することを言い、例えば基礎２と支持部材３が共に地盤面１０上に、または地盤面１０上に構築された底版１１上に構築されるようなことを言う。
【００１５】
特許文献１では構造物全体を下部構造と上部構造に区分したときの下部構造がレベルの低い底面部と、それより幾らかレベルが高い周辺の法面部とに区分され、柱の脚部が法面部に設置されているが、本発明では斜め柱１を支持する基礎２と支持部材３が共に特許文献１で言う同一水準の下部構造に設置されることに該当する。「同一水準の上面」とは、同一の地盤面１０上、もしくは底版１１上、または床面上等であり、特許文献１で言えば、下部構造の同一上面上を指す。以下、「基礎２の構築位置と同一水準の上面」を「地盤面１０」に代表させ、「上面上」を地盤面１０等上と言う。
【００１６】
「基礎２の構築位置と同一水準の上面から斜め柱１が設置されたときの、斜め柱１の軸方向の中間部が接触し得る高さを有し」とは、図３に示すように地盤面１０等上から、斜め柱１が鉛直に対して傾斜した状態で基礎２上に設置されたときの軸方向中間部までに亘る高さを支持部材３自身が有することを言う。または支持部材３の頂部に接続され、斜め柱１を直接、保持、あるいは支持する支持部３１が支持部材３の、斜め柱１の軸方向中間部が接触し得る高さに接続される場合があることを言う。支持部材３は地盤面１０等上から連続して構築されるか、積み上げられて地盤面１０等上に設置される。設置は構築を含む。「上面上に支持部材３を設置する」とは、支持部材３が地盤面等１０上で完成することを言う。支持部材３は前記のように斜め柱１の基礎２への接合までの間、または斜め柱１の頂部への屋根架構７の接合までの間、傾斜状態の斜め柱１を支持する役目を果たす。
【００１７】
斜め柱１は軸方向に一定の長さを持った柱ユニット（斜め柱構成材）を軸方向に連結（接合）し、一体化させることを繰り返すことにより全長が組み立てられることもあるが、斜め柱１を１本の柱として完成させる上では、柱ユニット同士は柱ユニット間で曲げモーメントとせん断力の伝達が可能な状態に接合されている必要があることから、柱ユニットの数が多ければ、斜め柱１の完成までに時間を要することになる。
【００１８】
そこで、斜め柱１を組み立てる工程において、斜め柱１の全長を軸方向に下柱１Ａと上柱１Ｂに２分割し、下柱１Ａと上柱１Ｂをそれぞれ予め製作しておけば（請求項２）、斜め柱１の組み立て位置での柱ユニットの連結数を最小の１回に抑えることができるため、斜め柱１の組み立て効率を向上させることが可能になる。この場合、鉛直に保持された下柱１Ａ上に上柱１Ｂを載置し、下柱１Ａに軸方向に接合して斜め柱１として一本化させ、この一本化した斜め柱１を鉛直に支持したまま、基礎２の天端上に吊り込むことが行われる（請求項２）。
【００１９】
斜め柱１の完成後、斜め柱１は揚重機により吊り上げられ、図１−（ａ）、（ｂ）に示すように組み立て位置から基礎２の天端上へ移動させられ、天端上に載置される。斜め柱１は例えば上端部の一箇所において、または上端部、もしくは上端部以外の部分を含む複数箇所において吊り支持される。
【００２０】
斜め柱１は基礎２天端上への載置時に、天端上で最終的な立設状態である傾斜状態に移行できるよう、吊り上げられている鉛直状態のときに、図４−（ａ）に示すように傾斜状態へ回転自在な状態に、基礎２の天端に連結される。「鉛直状態のときに傾斜状態へ回転自在な状態」とは、斜め柱１が吊り上げられたまま、斜め柱１の下端が基礎２に連結されたときに、斜め柱１の下端（ベースプレート１ａ）が基礎２の天端面に沿い、（ｂ）に示すように軸線が傾斜する状態にまで移行できることを言う。
【００２１】
斜め柱１の下端の基礎２天端への連結時には、図４−（ａ）に示すように傾斜側と反対側である、支持部材３から遠い側の端部を基礎２の天端に水平軸回りに回転自在に連結することが行われる（請求項４）。基礎２天端の「傾斜側（支持部材３に近い側）」は基礎２天端の内、レベルの低い側を指し、「反対側（支持部材３から遠い側）」はレベルの高い側を指す。「水平軸」は斜め柱１が鉛直状態から傾斜状態に移行するときの回転軸である。
【００２２】
斜め柱１の下端は例えば斜め柱１の下端に一体化したベースプレート１ａの、レベルの高い側の端部が図５−（ａ）に示すように基礎２天端上のレベルの高い側に、水平軸の方向に沿って直線状に配列した接合材２４に連結されることにより水平軸回りに回転自在に連結される。接合材２４は基礎２天端上に定着され、ベースプレート１ａを受ける定着プレート２１のレベルの高い側に固定されており、ベースプレート１ａの、レベルの高い側の端部には接合材２４に重なる被接合材１ｂが固定されている。
【００２３】
斜め柱１の下端を基礎２の天端に回転自在に連結した後、斜め柱１は吊り支持されたまま、支持部材３側へ傾斜させられ、支持部材３に支持される。斜め柱１が支持部材３に支持された後、図３−（ｂ）、図５に示すように斜め柱１の下端が基礎２の天端に接合される。斜め柱１の下端の基礎２天端への接合によって斜め柱１の設置作業は終了する。
【００２４】
斜め柱１下端の基礎２天端への接合によって斜め柱１の設置作業は終了するが、斜め柱１の上端部（頂部）には屋根架構７が直接、もしくは屋根架構７に一体化した梁部材が接合され、斜め柱１の使用状態では屋根架構７の鉛直荷重と水平荷重を斜め柱１が負担するため、斜め柱１の上端部への屋根架構７の接合が完了するまでは、支持部材３は斜め柱１を支持した状態に置かれることが適切である。
【００２５】
斜め柱１が基礎２に接合され、斜め柱１の基礎２への設置が完了した状態では、斜め柱１は屋根架構７を支持することから、支持部材３は斜め柱１を介して間接的に屋根架構７を支持するため、斜め柱１の基礎２への接合後の屋根架構７との接合の完了までは、上記のように傾斜した斜め柱１を支持部材３に支持させ続けることができる。すなわち、斜め柱１を基礎２上へ設置した後にも支持部材３に支持させたまま、図７、図８に示すように頂部において屋根架構７に接合し、斜め柱１が屋根架構７を支持する状態に移行させることができる。
【００２６】
例えば斜め柱１の基礎２への接合後に、支持部材３を斜め柱１から離脱させ、支持部材３による斜め柱１の支持が解除されれば、斜め柱１の脚部は自重による転倒モーメントに抵抗できるだけの構造を持つ必要がある。これに対し、斜め柱１の基礎２への接合後にも斜め柱１を支持部材３に支持させ続けたまま、斜め柱１の頂部が屋根架構７に接合されることで、斜め柱１の自重による転倒しようとする力を屋根架構７に負担させることができるため、斜め柱１の脚部を自重による転倒モーメントに抵抗できるだけの構造にする必要が生じず、斜め柱１を自重に対して安定させた状態で基礎２に接合した状態に保つことができる。
【００２７】
斜め柱１は図８に示すように傾斜した方向に対向する斜め柱１と対になった状態で屋根架構７に接続されることで、屋根架構７の鉛直荷重の内、対向する斜め柱１、１を転倒させようとする水平成分が相殺され、屋根架構７で負担されるため、斜め柱１、１の頂部に屋根架構７が接合された後には、斜め柱１は主に自重と屋根架構７の荷重による軸方向力と曲げモーメントを負担すればよくなる。屋根架構７の接合後に斜め柱１が主に軸方向力と曲げモーメントを負担すればよく、自重による転倒モーメントの負担から解放されることで、屋根架構７の接合後には支持部材３による斜め柱１の支持を解除することができる。斜め柱１、１への屋根架構７の接合前には各斜め柱１には自らを転倒させようとする自重による力が作用するため、斜め柱１は前記のように支持部材３による支持を受けることが適切である。
【００２８】
斜め柱１は鉛直に対して傾斜した状態で基礎２上への立設状態になることから、屋根架構７との接合の前後を問わず、斜め柱１が基礎２上に設置された時点から、斜め柱１の軸方向中央部には鉛直方向下向きに斜め柱１の自重が作用するため、支持部材３がなければ、斜め柱１は常に基礎２への接合部回りに転倒する状態にある。従って支持部材３は少なくともこの斜め柱１の自重による斜め柱１を転倒させようとする力に抵抗できる必要がある。
【００２９】
ここで、支持部材３が軸線を鉛直方向に向けて立設された状態で斜め柱１を支持するとすれば、斜め柱１の自重の、軸線に垂直な成分が支持部材３を支持部材３の脚部の回りに回転させようとするモーメントを作用させるため、支持部材３の脚部はモーメントに抵抗し得る状態に地盤面１０等上に接合されている必要がある。そこで、支持部材３の軸線が斜め柱１の傾斜方向と反対側に傾斜した状態で、支持部材３を地盤面１０等上に設置すれば（請求項３）、斜め柱１の自重の、斜め柱１の軸線に垂直な成分の多くを支持部材３の軸方向力として負担させることができるため、支持部材３の脚部を鉛直の場合程、モーメントに抵抗可能な状態に地盤面１０等上に接合する必要がなくなる。
【００３０】
斜め柱１の自重の、軸線に垂直な成分は斜め柱１の軸線に垂直な方向を向くから、支持部材３の軸線が斜め柱１の軸線に垂直な方向を向く場合が理論上は最も効率的に斜め柱１の自重の、軸線に垂直な成分を軸方向力として負担できるため、脚部に生じるモーメントを小さくできる。但し、支持部材３の軸線と斜め柱１の軸線が共に鉛直状態から互いに逆向きに傾斜した状態にあれば、支持部材３の脚部のモーメントを低減できるため、支持部材３の軸線の水平面に対する傾斜角度は問われない。
【発明の効果】
【００３１】
斜め柱を基礎上に設置し、傾斜させたときから斜め柱を支持部材に支持させるため、斜め柱の下端を基礎に接合した後も、斜め柱の頂部に屋根架構を接合するまで支持部材に傾斜した斜め柱を支持させることができ、斜め柱を支持部材に支持させ続けたまま、斜め柱の頂部を屋根架構に接合することで、斜め柱の自重による転倒しようとする力を屋根架構に負担させることが可能である。この結果、斜め柱の脚部を自重による転倒モーメントに抵抗できるだけの構造にする必要が生じず、斜め柱を自重に対して安定させた状態で基礎に接合した状態に保つことができる。
【図面の簡単な説明】
【００３２】
【図１】（ａ）は斜め柱の組み立てから斜め柱の基礎への接合までの作業の流れと屋根架構との関係を示した立面図、（ｂ）は（ａ）の平面図である。
【図２】組み立て時の斜め柱を保持する、図１に示す支保工の側面図である。
【図３】基礎上に載置された斜め柱を傾斜させ、支持部材に支持させたときの様子を示した立面図である。
【図４】（ａ）は斜め柱の脚部を基礎天端に水平軸回りに回転自在に連結した様子を示した立面図、（ｂ）は（ａ）の状態から斜め柱を支持部材側へ傾斜させた様子を示した立面図である。
【図５】（ａ）は図４−（ａ）に示す基礎の上端部の具体例を示した縦断面図、（ｂ）は（ａ）のａ−ａ線の矢視図である。
【図６】斜め柱を下柱と上柱に軸方向に２分割した場合の下柱と上柱の接合例を示した縦断面図である。
【図７】斜め柱の頂部のブラケットと屋根架構の下面側に接合されたブラケットをピン接合したときの様子を示した立面図である。
【図８】スパン方向に対向する斜め柱と屋根架構の関係を示した縦断面図である。
【発明を実施するための形態】
【００３３】
図１−（ａ）は軸線が鉛直に対して傾斜した状態の斜め柱１を天端面が水平面に対して傾斜した基礎２上に設置するまでの作業要領を示す。斜め柱１の基礎２天端上への設置は基礎２の構築位置の付近において斜め柱１を保持しながら組み立てる工程と、斜め柱１を組み立てる工程と並行し、基礎２の構築位置と同一水準の上面上に、完成した斜め柱１を傾斜した状態で支持する支持部材３を設置する工程と、斜め柱１を基礎２の天端に連結する工程と、斜め柱１を支持部材３に支持させる工程と、斜め柱１の下端部を基礎２に接合する工程を経て完了する。
【００３４】
斜め柱１の設置位置には、図１に示すように軸線が鉛直に対して傾斜した状態で設置が完了する斜め柱１を支持する基礎２が構築される。斜め柱１の設置位置である基礎２の構築位置は図１−（ａ）に示すように地盤面１０上、または地盤面１０上に構築される底版１１上、もしくは床面上等であり、後述の屋根架構７が上部構造であれば、基礎２は上部構造と区分される下部構造のいずれかの部分に設置（構築）される。以下では基礎２の設置（構築）面を地盤面１０等と言う。図１−（ａ）では基礎２が構築される地盤面１０と斜め柱１の組み立てのための支保工４が設置される地盤面１０に段差があるが、この段差に意味はない。
【００３５】
基礎２は図５に示すように鉄筋コンクリート造等で構築され、傾斜した斜め柱１の軸線に対して天端が垂直な面をなすよう、基礎２の天端には図３に示すように傾斜した斜め柱１を支持する支持部材３に近い側から遠い側へかけて下方から上方へ向かう傾斜が付けられる。基礎２の天端の内、支持部材３に近い側のレベルは支持部材３から遠い側のレベルより低い。
【００３６】
基礎２の天端には斜め柱１の脚部に一体化するベースプレート１ａを受ける定着プレート２１が定着される。定着プレート２１は例えば基礎２のコンクリート中に埋設されるアンカーボルト２２が定着プレート２１の表面側に緊結され、また定着プレート２１の背面に一体化した定着体２３がコンクリート中に埋設されることにより基礎２に定着される。
【００３７】
基礎２天端の定着プレート２１上には、斜め柱１の脚部に一体化し、斜め柱１の軸線に垂直な面をなすベースプレート１ａが載置され、ベースプレート１ａは図４−（ａ）に示すように基礎２天端上の支持部材３から遠い側において定着プレート２１に水平軸回りに回転自在に連結された後、（ｂ）に示すように斜め柱１全体が支持部材３側へ傾斜したときに定着プレート２１に重なって定着プレート２１に接合される。
【００３８】
定着プレート２１の、レベルが高い側には、図５に示すように基礎２上に設置された直後の斜め柱１のベースプレート１ａを水平軸の回りに回転自在に、定着プレート２１に連結するための複数個の、挿通孔２４ａを有する接合材２４が水平軸の方向に間隔を置いて溶接等により固定されている。斜め柱１が回転自在になる水平軸は斜め柱１の軸線が鉛直状態から傾斜するときの回転中心になる軸であり、斜め柱１が鉛直状態にあるときの軸線と傾斜状態にあるときの軸線を含む平面（鉛直面）に垂直な方向を向く。図５は基礎２上に斜め柱１を設置し、その傾斜後、固定した様子を示している。
【００３９】
斜め柱１のベースプレート１ａには定着プレート２１の接合材２４に水平軸上で重なり、互いに水平軸方向を向くボルトやピン等の連結材２５により連結される、挿通孔１ｃを有する被接合材１ｂが、接合材２４と同一の間隔で配列し、溶接等により固定されている。被接合材１ｂは図５−（ｂ）に示すようにベースプレート１ａからベースプレート１ａの外周側へ張り出し、その張り出した部分に挿通孔１ｃが形成されている。被接合材１ｂはベースプレート１ａから張り出した部分において接合材２４に重なり、双方の挿通孔２４ａ、１ｃが水平軸上で合致する。
【００４０】
図１−（ａ）に実線で示すように定着プレート２１上に斜め柱１が鉛直状態で落とし込まれたときには、図４−（ａ）に示すようにベースプレート１ａが水平面をなしているため、図５−（ａ）に示すようにまずベースプレート１ａの被接合材１ｂが定着プレート２１の接合材２４に重ねられ、双方の挿通孔１ｃ、２４ａを挿通する連結材２５により互いに連結される。図５−（ｂ）では連結材２５が互いに重なった接合材２４と被接合材１ｂ間単位で両者を挿通しているが、連結材２５は全接合材２４と全被接合材１ｂを同時に貫通することもある。水平軸は連結材２５の軸心である。
【００４１】
ベースプレート１ａの被接合材１ｂが接合材２４に連結されることにより斜め柱１は基礎２に対して水平軸回りに回転自在に連結された状態になる。ベースプレート１ａの定着プレート２１への連結後の斜め柱１の傾斜後には、図５−（ａ）に示すように定着プレート２１とベースプレート１ａは二点鎖線で示すようにコンクリート２６中に埋設され、ベースプレート１ａは基礎２に固定される。
【００４２】
斜め柱１は図１−（ｂ）に示すように斜め柱１の完成後に設置される基礎２の付近において組み立てられ、完成後に吊り支持されたまま基礎２の天端上に移動させられる。斜め柱１の組み立て位置には斜め柱１の組み立て状態を保持する保持部材５を有する支保工４が組み立てられる。斜め柱１は例えば軸方向への組み立て（積み上げ）に伴い、斜め柱１を周囲から拘束して保持する、例えば箱形に組まれたフレーム等からなる保持部材５に保持され、鉛直に立設された状態を維持する。保持部材５は支保工４の内、斜め柱１に沿って配置される部分に、斜め柱１の軸方向に１箇所、もしくは複数箇所、設置される。
【００４３】
斜め柱１は自重と屋根架構７の荷重を受けることで、常に軸方向圧縮力と曲げモーメントを負担した状態に置かれるため、主に曲げモーメントに対する抵抗力の高い鉄筋コンクリート、鋼管コンクリート等で製作されるが、これらに限定されることはない。
【００４４】
斜め柱１の軸方向の組み立てとは、例えば斜め柱１を軸方向に複数個に分割された形で製作された斜め柱構成材（ユニット）を軸方向に積み上げ、互いに一体的に接合しながら、斜め柱１の全長を完成させるようなことを言う。保持部材５は例えば支保工４の側面から支保工４の外周側へ箱状に張り出すことにより斜め柱１を周囲から保持し、製作中の斜め柱１の転倒を防止する。斜め柱１は予め製作された斜め柱構成材を用いることなく、組み立て位置において製作されることもある。
【００４５】
図面では斜め柱１の製作効率を上げ、製作時間を短縮させるために、斜め柱１の全長を軸方向に２分割した形の、斜め柱構成材としての下柱１Ａと上柱１Ｂを接合して一本化させ、斜め柱１を製作することにより斜め柱１の組み立て作業を簡略化させている。下柱１Ａと上柱１Ｂは支保工４の付近、または周辺において独立して製作され、あるいは工場で製作された後に現場に搬入され、下柱１Ａが鉛直に立設された後に上柱１Ｂが吊り上げられて下柱１Ａ上に軸方向に載置され、下柱１Ａに接合される。下柱１Ａへの上柱１Ｂの接合は斜め柱１の組み立て位置において行われる。
【００４６】
この場合、予め製作された下柱１Ａは地上に寝かせられた状態から揚重機を用いて起立させられた後、支保工４の側面に設置、もしくは構築される保持部材５に周囲から保持される。続いて上柱１Ｂを起立した下柱１Ａの上端上に載置し、上柱１Ｂの下端部を下柱１Ａの上端部に剛に接合することにより一本化した斜め柱１が製作される。
【００４７】
下柱１Ａと上柱１Ｂの接合方法は接合の結果として接合部（継手部）での曲げモーメントの伝達が可能になれば、問われず、両柱１Ａ、１Ｂの対向する面を直接、溶接する他、図６に示すようにボルト６等を用いることにより両柱１Ａ、１Ｂが剛に接合される。
【００４８】
ボルト接合の場合は、例えば下柱１Ａの上端面と上柱１Ｂの下端面に溶接されている端板１ｄ、１ｅの外周に、両端板１ｄ、１ｅに軸方向に同時に跨る接続プレート１ｆを配置し、接続プレート１ｆの外周側から、端板１ｄ、１ｅに下柱１Ａと上柱１Ｂの軸方向に突き当たった状態で下柱１Ａと上柱１Ｂの外周を包囲している側板１ｇ、１ｈに到達するボルト６を螺入させることにより下柱１Ａと上柱１Ｂが剛に接合される。接続プレート１ｆは両柱１Ａ、１Ｂの周方向に複数本、集合することにより円環状等、環状の形状をし、各接続プレート１ｆは環を周方向に分割された、例えば円弧状の形状に形成されている。側板１ｇ、１ｈはボルト６の軸部が螺合するナットの役目を果たす。ボルト６は下柱１Ａと上柱１Ｂの周方向に多数本、配置される。
【００４９】
斜め柱構成材の積み上げと接合による、または下柱１Ａと上柱１Ｂの接合による斜め柱１の製作後、斜め柱１は揚重機により吊り上げられ、図１に実線で示すように下端が基礎２の天端上に載置される位置にまで移動させられ、その吊り上げ状態で図４−（ａ）に示すように下端が基礎２天端に傾斜側へ回転自在に連結される。
【００５０】
一方、斜め柱１の組み立て工程と並行し、斜め柱１が最終的に傾斜した状態で立設される位置では、図３に示すように基礎２の構築位置と同一水準の上面上である地盤面１０等上に、完成した斜め柱１を傾斜した状態で支持する支持部材３が設置、もしくは構築される。図３では地盤面１０上に構築された底版１１上に支持部材３を設置している。
【００５１】
支持部材３は軸線を鉛直方向に向けた状態で立設されることもあるが、その場合、傾斜した斜め柱１の自重の、斜め柱１の軸線に直交する方向の成分が支持部材３を転倒させようとするモーメントを作用させるため、図示するように支持部材３の軸線が斜め柱１の軸線の傾斜方向と反対側に傾斜した状態で斜め柱１を支持することが合理的である。支持部材３の軸線が斜め柱１の軸線の傾斜方向と反対側に傾斜した状態にあれば、斜め柱１の自重の内、斜め柱１の軸方向に垂直な方向の成分の多くを支持部材３の軸方向力として受けることができることによる。
【００５２】
「支持部材３の軸線が斜め柱１の軸線の傾斜方向と反対側に傾斜する」とは、斜め柱１の軸線と支持部材３の軸線が鉛直線に関して線対称の状態にある場合を含め、鉛直線に関して互いに逆向きであることを言う。但し、図示するように鉛直線に関して線対称の状態にある場合には、斜め柱１の自重により斜め柱１と支持部材３を転倒させようとする分力を互いに相殺させることができる利点がある他、支持部材３の脚部での滑り等に対する安定性を確保し易いため、支持部材３の水平面に対する傾斜角度は斜め柱１の水平面に対する傾斜角度と同一である場合が合理的と言える。
【００５３】
支持部材３の地盤面１０等上への設置等を含む支持部材３の設置工程は斜め柱１の組み立て工程と並行して進められるが、支持部材３の設置は遅くとも完成した斜め柱１を基礎２天端上に移動させ、傾斜させるまでに完了していればよいため、斜め柱１の基礎２天端への移動・連結工程の作業中にも並行（継続）して進行することもある。
【００５４】
斜め柱１は上記のように基礎２の付近において完成させられた後、上端部において、または上端部とそれより下方の中間部の複数箇所において揚重機により吊り支持された状態で、基礎２の天端上に移動させられる。斜め柱１は基礎２天端上で静止させられ、図４−（ａ）に示すように基礎２の天端に水平軸回りに回転自在に連結される。具体的には上記のように基礎２天端に固定されている定着プレート２１の接合材２４に斜め柱１のベースプレート１ａの被接合材１ｂを重ね、接合材２４と被接合材１ｂを貫通する連結材２５を挿通させることにより斜め柱１が水平軸回りに回転自在に基礎２に連結される。斜め柱１が基礎２に回転自在に連結された状態は斜め柱１が基礎２にヒンジを介して連結されたことに相当する。
【００５５】
斜め柱１のベースプレート１ａを基礎２の定着プレート２１に水平軸回りに回転自在に連結した後、斜め柱１は図３、図４−（ｂ）に示すように吊り支持されたまま、支持部材３側へ傾斜させられ、支持部材３に転倒に対して支持される。斜め柱１の頂部は屋根架構７に直接、もしくは屋根架構７に接合される梁部材等を介して間接的に接合されるため、斜め柱１は頂部を外した、軸方向中間部の区間のいずれか１箇所、または複数箇所において支持部材３に支持される。
【００５６】
斜め柱１の図１−（ａ）に実線で示す鉛直状態から鎖線で示す傾斜状態への移行は揚重機による吊り支持と共に、必要により安全のために、斜め柱１の頂部付近、もしくは中間部に接続されるワイヤ等の引張材９に傾斜の向きと反対側から張力を付与され、引張材９に支持された状態で行われる。
【００５７】
支持部材３の、斜め柱１を直接、支持する支持部３１は斜め柱１の傾斜方向に加え、斜め柱１の設置が完了し、頂部の屋根架構７への接合が完了するまでの間の傾斜方向に直交する方向の水平力に対しても斜め柱１を保持し得るよう、斜め柱１を支持部材３側と傾斜方向に直交する方向の両側から支持可能な、例えば斜め柱１に外接し得る曲面状、または多角形状に形成される。
【００５８】
斜め柱１を支持部材３に支持させた後、基礎２天端に回転自在に連結されている斜め柱１の下端部が基礎２に接合される。斜め柱１の下端部は、下端部に一体化したベースプレート１ａと基礎２の定着プレート２１を貫通するアンカーボルト２２の頭部がベースプレート１ａにナット等により緊結されることにより基礎２に定着される。アンカーボルト２２の本体は基礎２の構築時に予め基礎２中に埋設され、頭部は基本的に定着プレート２１を貫通し、天端から突出している。その場合、斜め柱１のベースプレート１ａはベースプレート１ａに形成された挿通孔をアンカーボルト２２の頭部が貫通することにより定着プレート２１に重なり、ベースプレート１ａの表面に突出したアンカーボルト２２の頭部にナットが緊結されることによりベースプレート１ａが基礎２に剛に接合される。
【００５９】
アンカーボルト２２の頭部としてのボルトはアンカーボルト２２本体から分離し、後から基礎２中のアンカーボルト２２本体に接続されることもある。その場合、図示しないが、アンカーボルト２２本体の頭部（ボルト）寄りにはナット（カプラー）が螺合し、ナットは頭部側の端面が天端から露出した状態で基礎２中に埋設される。アンカーボルト２２本体から分離した頭部であるボルトはベースプレート１ａが定着プレート２１に重なった後、ベースプレート１ａと定着プレート２１の挿通孔を挿通して基礎２中のナットに螺合し、ベースプレート１ａを定着プレート２１に接合する。
【００６０】
ベースプレート１ａの定着プレート２１への接合後、必要により、斜め柱１の脚部の基礎２への一体性を高めるために、図５−（ｂ）に二点鎖線で示すように斜め柱１のベースプレート１ａを含む脚部と定着プレート２１、及び両者を連結した接合材２４と被接合材１ｂをコンクリート２６中に埋設することが行われる。
【００６１】
ベースプレート１ａの定着プレート２１への接合により、または両者のコンクリート２６中への埋設により斜め柱１の脚部が基礎２に剛に接合された状態になるが、斜め柱１の頂部が屋根架構７に接合されるまでは、斜め柱１には自重により自らを転倒させようとするモーメントが作用するため、このモーメントを斜め柱１に負担させないために、斜め柱１の頂部が屋根架構７に接合されるまでは、支持部材３に支持された状態に保たれる。
【００６２】
ベースプレート１ａの定着プレート２１への接合後、斜め柱１の頂部は図７に示すように例えば斜め柱１の頂部と屋根架構７の双方にそれぞれ突設されたブラケット１ｉ、７ａを同時に水平方向に貫通するボルト８やピンにより屋根架構７に接合される。斜め柱１の屋根架構７への接合により屋根架構７の荷重が、図８に示す斜め柱１の傾斜方向に対になる他方の斜め柱１と共に負担された状態になり、斜め柱１の基礎２と屋根架構７との間への架設が完了する。屋根架構７の斜め柱１、１への接合が終了するまでは、屋根架構７の鉛直荷重と水平荷重は屋根架構７用の、図示しない支保工（サポート）に支持されるが、斜め柱１の組み立て時に斜め柱１を保持する支保工４が屋根架構７のサポートを兼ねることもできる。
【００６３】
ブラケット１ｉ、７ａをピン接合するボルト８等の軸は屋根架構７から斜め柱１の頂部に少なくともスパン方向、すなわち対になる斜め柱１、１が対向する方向の曲げモーメントを作用させないよう、スパン方向に直交する水平方向を向く。この方向は斜め柱１のベースプレート１ａを基礎２の定着プレート２１にピン接合する連結材２５の軸と同一の方向である。
【００６４】
斜め柱１の頂部はピン接合された屋根架構７から鉛直荷重と水平荷重を受けるが、鉛直荷重の内、斜め柱１の軸方向の成分は斜め柱１に軸方向圧縮力として負担される。斜め柱１の軸方向に垂直な成分は斜め柱１を傾斜した方向へ転倒させようとする力になるが、斜め柱１が傾斜した方向の同一線上に位置する斜め柱１とスパン方向に対になることで、斜め柱１を転倒させようとする力は屋根架構７の、対になる斜め柱１との接合部分間の区間の圧縮力として負担されることになる。
【００６５】
スパン方向に対になる斜め柱１、１に屋根架構７が接続され、支持された後には、屋根架構７は対になる斜め柱１、１に支持され、斜め柱１の自重の内、斜め柱１自身を転倒させようとする成分は屋根架構７が負担するため、斜め柱１は屋根架構７を支持することにより自立する。斜め柱１が自立性を確保したところで、支持部材３と支保工４は役目を終えるため、解体され、撤去される。
【符号の説明】
【００６６】
１……斜め柱、１ａ……ベースプレート、１ｂ……被接合材、１ｃ……挿通孔、
１Ａ……下柱、１Ｂ……上柱、１ｄ……端板、１ｅ……端板、１ｆ……接続プレート、１ｇ……側板、１ｈ……側板、１ｉ……ブラケット、
２……基礎、２１……定着プレート、２２……アンカーボルト、２３……定着体、２４……接合材、２４ａ……挿通孔、２５……連結材、２６……コンクリート、
３……支持部材、３１……支持部、
４……支保工、５……保持部材、
６……ボルト（下柱と上柱の連結用）、
７……屋根架構、７ａ……ブラケット、
８……ボルト（ブラケット同士の連結用）、９……引張材、
１０……地盤面、１１……底版。
【図１】
0006446346.tif 000002
【図２】
0006446346.tif 000003
【図３】
0006446346.tif 000004
【図４】
0006446346.tif 000005
【図５】
0006446346.tif 000006
【図６】
0006446346.tif 000007
【図７】
0006446346.tif 000008
【図８】
0006446346.tif 000009